(57)【要約】この発明は植物の生育プラットフォームに関するものであり、以下の特徴を有する。種子及び生育培地を含んだ初期／再補充パケットは基本容器（ａ／１）に入れられ、カバー構造物（ａ／２）すなわち開口部（孔）を有する（ａ／２ａ）及び（ａ／２ｂ）により閉じられることで、動物がその生育培地又は種子に接触することができなくなる。更に、全体の機構には、カバーすなわち被覆物（ａ／３）を有しており、温室と同様に、初期生長及び再生育を妨害されないことを確保にしている。（ａ／３）を加えた（ａ／１）、（ａ／２）すなわち（ａ／２ａ）及び（ａ／２ｂ）の前記３つの基部は、全ての技術的に解釈可能なオプションに従い、互いに相互連結し、配置される。生育プラットフォームは、個別の製品であっても良く、また、組み立てられた又は取り付けられた製品であっても良い。この独立請求項の技術的な範囲内であれば、想定されるいかなる材料、形状、色彩、構成であっても良い。全ての機構は、動物及び植物の規格に適合したものとする。
2007532143.tif 000002
【特許請求の範囲】
【請求項１】
植物を生育するための（土壌、顆粒、種子、水等の）生育用培地を受容する設備を具える生育プラットフォームであって、
付加的な被覆物（ａ／２）が基本容器（ａ／１）上に取付けられ、該被覆物は、一方が他方の上部に配置されるような二つのカバー、すなわちカバー（ａ／２ｂ）及びカバー（ａ／２ａ）を有し、該カバー（ａ／２ｂ）には、草体が通過するためだけに充分な大きさの開口部を設けており、一方、前記カバー（ａ／２ｂ）は、前記カバー（ａ／２ａ）から離れた位置に取付けられることから、動物が草体を下方まで食べすぎることを防止しており、これによって、前記草体が前記カバー（ａ／２ｂ）を通過して生育する方向は、前記カバー（ａ／２ａ）の生育方向に維持されることが確保されることを特徴とする生育プラットフォーム。
【請求項２】
草体が再生育した際に、温室効果は確保するが、その生育を動物が妨げないようにする、更なるカバー（被覆物）（ａ／３）を取付けることができる、請求項１に記載の生育プラットフォーム。
【請求項３】
前記付加的な被覆物（ａ／２）は、ワイヤメッシュ状である、請求項１又は２に記載の生育プラットフォーム。
【請求項４】
前記被覆物（ａ／２）は、少なくとも２ｃｍの幅を有し、水平方向には、互いに平行に隣接しておらず、垂直方向には、互いに隣接して配設されていることから、少なくとも２ｃｍの高さとなる、平行に配置された細長部又は棒部を有しており、全面に亘った被覆物が、該平行に配置された細長部又は棒部の下方に前記顆粒に対向して適用されており、（ａ／２）に関して前記したと同様に、該カバーには、前記草体が生育して通過するためだけに充分な大きさではあるが、該草体が前記顆粒から引き抜かれない程度の大きさである開口部が設けられており、このことにより、動物が草体を根ごと完全に引き抜くこと、又は再生育を妨げるほどに深く食べることを防止している、請求項１又は２に記載の生育プラットフォーム。
【請求項５】
前記基本容器（ａ／１）、中間被覆物（ａ／２）及びいわゆる上部温室カバー（ａ／３）に、従来技術に従う方法で開口部を設けることで、前記製品全体に亘り空気の交換（循環）を確保する、請求項１又は２に記載の生育プラットフォーム。
【請求項６】
前記生育プラットフォームは、齧歯類用の飼育小屋と一体化部分である、請求項１〜５のいずれか一項に記載の生育プラットフォーム。
【請求項７】
前記生育プラットフォームは、いかなる形状及び使用状態であろうとも、また、その材料の性質がいかなるものであろうとも、この発明に従う全製品に組込まれる又は付加されることが可能である、請求項１〜６のいずれか一項に記載の生育プラットフォーム。
【請求項８】
前記生育プラットフォームは、前記ヒンジ部（ａ／４）により、前記基本容器（ａ／１）、被覆物（ａ／２）及び温室カバー（ａ／３）からなるその構成部品に保持され、前記施錠手段（ａ／５ａ）、施錠手段（ａ／５ｂ）及び施錠手段（ａ／５ｃ）により閉鎖ユニットを構成する、請求項１〜７のいずれか一項に記載の生育プラットフォーム。
【請求項９】
従来技術の付属ストラップを付与し、ヒンジ部として利用することで、前記製品全体の異なる位置への移動を強いることなく、必要に応じて、前記被覆物（ａ／２）及び／又は温室カバー（ａ／３）を前記基本容器（ａ／１）から取り除くことが可能となる、請求項１〜８のいずれか一項に記載の生育プラットフォーム。
【請求項１０】
前記基本容器（ａ／１）、被覆物（ａ／２）及び温室カバー（ａ／３）を、安定したユニットとして、相互に及びプラグイン機構として互いの内部に接続し、互いの内部に及び相互に接続している製品全体又はその個々の部分を動物が開くことができないように、該被覆物（ａ／２）を具えた該基礎容器（ａ／１）等とすることができる、請求項１〜９のいずれか一項に記載の生育プラットフォーム。
【請求項１１】
前記基本容器（ａ／１）は、過剰な水分を排出する水分排出設備（ａ／１３）を具えている、請求項１〜１０のいずれか一項に記載の生育プラットフォーム。
【請求項１２】
再補充用パック（繰返し購入用パック）（ａ／２１）を基本容器（ａ／１）内に配置することができ、該パックは、（土壌、顆粒等の）生育物質及び種子（植物）により満たされている、請求項１〜１１のいずれか一項に記載の生育プラットフォーム。
【請求項１３】
前記再補充用パック（繰返し購入パック）（ａ／２１）の基部は、任意の形状及び使用状態にある凸部、凹部等を具えており、前記基本容器（ａ／１）の対応部との完全な嵌め込みに適合可能としている、請求項１２に記載の生育プラットフォーム。
【請求項１４】
前記基本容器（ａ／１）は、その内側基部に又はその上に、その他の形状を有する横軸方向の張出し部又はポール部を具え、全体の長さ、幅、対角線方向又は垂直線方向に亘って堅固に固定され、前記再補充パックすなわち繰返し購入パック（ａ／２１）の基部の凹部又は凸部に完全に嵌合するので、生育物質及び種子（植物）の入った非正規品のパックを前記製品全体に嵌め込むことができない、請求項１２又は１３に記載の生育プラットフォーム。
【請求項１５】
前記再補充パック（繰返し購入パック）（ａ／２１）は、液体と接触して一定期間が経過すると分解される材料から製造される、請求項１２〜１４のいずれか一項に記載の生育プラットフォーム。
【請求項１６】
フリース素材を、基部と面するように、前記再補充パック（繰返し購入パック）（ａ／２１）又は基本容器（ａ／１）内に導入し、該フリース素材は、初期生長又は再生育させる場合に、（毛管現象効果、ブロッティング紙の原理により）導入された草体の全ての根に水を運搬する役割をする、請求項１２〜１５のいずれか一項に記載の生育プラットフォーム。
【請求項１７】
前記再補充パック（繰返し購入パック）（ａ／２１）は、前記基本容器（ａ／１）と同様の、（ａ／１３）として示された水分排出設備を具えることで、腐敗及びカビ、又は導入した植物材料の生育個体数の飽和による障害を抑制する、請求項１２〜１６のいずれか一項に記載の生育プラットフォーム。
【請求項１８】
前記基本容器（ａ／１）は、動物の飼い主が齧歯類用の石、ミネラル石等を取付けることのできるホルダを具えている、請求項１〜１７のいずれか一項に記載の生育プラットフォーム。
【請求項１９】
前記基本容器（ａ／１）は、ホルダを該基本容器の全周に具えており、柵状フェンスと同様に木質材料の取付けを可能としており、動物が噛り付く欲求を満たすことができる、請求項１〜１８のいずれか一項に記載の生育プラットフォーム。
【請求項２０】
前記基本容器（ａ／１）及び温室カバー（ａ／３）は、動物が基本容器（ａ／１）及び温室カバー（ａ／３）に損傷を加えられないように、ワイヤ被覆物により閉じられている、請求項１〜１９のいずれか一項に記載の生育プラットフォーム。
【発明の詳細な説明】
【技術分野】
【０００１】
この発明は、独立請求項の前文に従う、個別の製品としての、又は組み込み製品、すなわち付属製品としての、草体用の生育プラットフォームに関する。
【背景技術】
【０００２】
多くの動物は、一方において、飼料として（齧歯類、爬虫類、鳥類等）、他方において、胃腸管内の毛を取り除くために（例えば猫等）、草体（植物）を必要とする。キャットグラスや齧歯類用グラス等として知られている、市販の従来の製品は、容器に入れられて販売されている。
【０００３】
種子を含んだ顆粒状の生育培地が、この種の容器に入れられる。草体は、水を加えて、動物の手が届かないところで育てられた後、動物の消費に供される。しかし、問題は、例えば猫が、草体を食べる際に根をも一緒に引き抜いてしまったり、更には、材料に穴を掘り、顆粒の上に排便してしまったりすることにある。また、一方において、例えば齧歯類は、容器そのものを齧る虞がある。
【０００４】
このことから、動物の飼育器は、一般に、一回のみの使用で、プラットフォームが非衛生的となり、そのことに関連した影響として、相当量の土壌が排出されることとなる。
【発明の開示】
【発明が解決しようとする課題】
【０００５】
この発明の目的は、この問題に関して、大幅に優れた解決策を提供することにある。
【課題を解決するための手段】
【０００６】
この目的は、ここに説明する技術的な理論による、この発明に従う前文に対する特徴部により達成される。
【０００７】
この発明に従う生育プラットフォームは、土壌、ガーゼ、詰め綿、顆粒物等の生育培地を受容する基本容器を具えており、これらの生育培地は、多様な種子（植物）の受容体として既に世界的な市場で市販されている。この発明に従う基本容器は、従来技術に従う市販のいかなる材料からも製造することが可能である。
【０００８】
動物が草体を消費することに伴い、生育用顆粒に接近することを防止するために、この発明では基本容器上に、カバーが配設されており、かかるカバーには（円形、四角形、楕円形等の）任意の形状の孔が開けられている。この発明に従うカバー及び被覆物は、従来技術に従う市販のいかなる材料からも製造することが可能である。
【０００９】
かかるカバー／被覆物の開口部は、草体が生育して通り抜けることはできるが、草体が根ごと引き抜かれることを防止するのに十分な大きさの直径とすることが想定されている。これは、植物は顆粒（生育培地）から発芽し、孔を通過すると、実際に成長する芽よりもその厚みが増すことからである。
【００１０】
そこで、この発明に従う独立請求項では、動物が生育培地に接近できなくすることで、穴を掘ったり、そこに排便したりすること等ができなくなるような考慮がなされている。このように基礎が構築されるので、草体に被害を加えられることなく維持することができ、また、より頻繁に生育させることも可能となる。
【００１１】
いかなる理由があれ、動物が草体を食草した（食べた）場合には、生育プラットフォーム製品全体に更なるカバーが取付けられる。これにより、この発明に従い可能な限り多くの開口部を基本容器の上部及びカバー（被覆物）に設けるようにすることにより、生育の妨げとよりならないようにしている。この更なるカバーは、従来技術に従う市販のいかなる材料から製造しても良く、いかなる形状、色彩としても良い。
【００１２】
独立請求項の要件を満たすために、このカバーを温室用のカバーとみなすこともでき、そのカバーの下方において微気候が発達するので、植物は急速にそして旺盛に生育することができるようになる。温室と似た環境をつくり出すためには、空気の循環が確保できるよう、この上部カバーに、任意の形状の孔を設けることができる。
【００１３】
以上の方法により、植物が生育しても、停滞している熱等により、この発明及びこの発明の目的を達成することの障害となるような、腐敗等の全ての想定される出来事が引き起こされることはない。
【００１４】
この発明に従う３つの要素、すなわち基本容器、孔を設けた被覆物（カバー）及び温室カバーが、再生育などの様々な使用段階で一つの固定ユニットを構成することができるように、例えば、一実施形態においては、従来技術に従うヒンジ部又はその他の施錠機構を導入する及び／又は取付けることが提案されている。
【００１５】
このように、かかる３つの要素は、例えば、単一のヒンジ機構により、相互に連結される。ヒンジ機構の反対側の位置においては、３つの要素部が従来技術に従い固定部をなすので、動物はその複合体全体を開くことができなくなる。
【００１６】
第二の実施形態では、容器は張力によって相互に取付けられる。
【００１７】
従来技術に知られる全ての解決策を、この発明に従う独立請求項の技術理論及び水準を満足するために適用することが可能である。
【００１８】
また、この発明に従うその他の実施形態では、生育プラットフォームは、いわゆる齧歯類用の小屋等の動物の小屋と一体をなす構成要素部分とすることができる。このとき、生育プラットフォームは、屋根上に植物を提供し、したがって、独立請求項に記載のこの発明の技術事項に合致しており、すなわち、猫に食べさせて、胃腸内をきれいにすることに使用することができる。
【００１９】
生育プラットフォームは、この発明に従ういかなる種類及び形状並びに実施形態の製品にも組み込む及び／又は付加させることができる。
【発明を実施するための最良の形態】
【００２０】
図１には、図面を参照しつつ以下に説明する一実施形態の概略図が描かれている。
【００２１】
（ａ／１）は、基本物質及び植物（種子等）を受容する基本容器を示している。（ａ／２）は、閉じた状態で（ａ／１）の上にくる中間カバーを示しており、かかるカバーには開口部が設けられており、カバーを開いたとき又は草体が消費されるときに、草体が根系ごと引き抜かれることを防止しながらも、生育させることを可能としている。（ａ／３）は、製品全体を閉じた状態で、（a／２）上で（a／１）に連結される上部カバー又は被覆物を示しており、これにより、草体の再生育は、動物による生長の妨げが無い状態でありながらも、温室内での生長と同様とみなすことができる。
【００２２】
草体が所望の大きさまで生長した後に、（ａ／３）が開かれ又は取り外され、動物が食べられるようにされる。特に、（ａ／３）は上方に湾曲していても良く及び／又はテントのような形状或いはその他の想定可能な形状とすることができる。原則として、物体全体は、全ての光線を透過する物質により製造されるので、全ての場合においても、供給された草体に必須の生育条件が考慮される。
【００２３】
このとき、（ａ／４）は、ヒンジ部の領域を示している。（ａ／５ａ）、（ａ／５ｂ）及び（ａ／５ｃ）は、動物により空けられないようにされつつも、堅く閉じることができる機構を示している。ここにおいて、（ａ／１３）は、（ａ／１）内の湿気放出設備を示している。
【００２４】
この発明に従う更なる実施形態は図２に描かれており、新たな生育を可能とするために生育プラットフォームの全体を閉じた状態としたものが示されている。この図では、（ａ／１）、（ａ／２）及び（ａ／３）がヒンジ結合機構により連結している。（ａ／５ａ）及び（ａ／５ｂ）は、（ａ／５ｃ）とともに閉じた状態の生育プラットフォームを示している。なお、（ａ／７）は、（ａ／３）に示す温室と類似の通気設備を示している。
【００２５】
（ａ／１８）は基本容器（ａ／１）周辺に設けた付加的な通気用開口部を示している。従来技術に従い想定することが可能な全てのものを、この発明の独立請求項を満たすために通気に用いることが可能である。
【００２６】
図３は、この発明に従う更なる実施形態を示している。
【００２７】
図３は、（ａ／２）が二つの穿孔したカバー／被覆物からなる実施形態を示しており、これらのカバー／被覆物は、一方の上に他方が載り、互いに同じ高さとなるように置かれており、単一のユニット又は二つの独立したユニットからなり、互いから又は互いに関して所定の距離に設置してある。（ａ／２ｂ）は、土壌の顆粒（生育用の培地）に面した穿孔を有している底面カバーであり、その開口部は植物の茎が通過するために充分な直径を有しているが、食べる（消費する）ことに伴って根ごと引き抜かれないような大きさとなっている。
【００２８】
（ａ／２）は、（ａ／２ｂ）と同じ高さで一定の距離となるように配設されていることから、（ａ／２ａ）はより大きな開口部を有することも可能となる。（ａ／２ｂ）と（ａ／２ａ）との間にある空間により、動物が草体に到達することができない。草体は、一旦（ａ／２ｂ）を通過して生育した場合には、再生育する際に、（ａ／２ａ）を通る成育経路と方向性を維持するという利点を有する。
【００２９】
この発明に従う更なる実施形態においては、図４及び５に示すように、動物の飼育小屋（図では齧歯類用の飼育小屋）と一体化する。
【００３０】
（ａ／８）は、生育プラットフォーム複合体の全体を一体化するための屋根の凹部である。（ａ／２）及び（ａ／３）を有する生育プラットフォーム（ａ／１）は全体として、齧歯類用の飼育小屋の凹部（ａ／８）にはめ込まれる。なお、生育プラットフォームは、図２に示すものと同様にして構成されている。
【００３１】
図５に示すように、緑色部が生育すると、温室カバー（ａ／３）は（ａ／４）の上方に折り返され、又は一般的な飼育小屋において空間が不足した場合には、取り除かれる。このようにして、動物は草体に到達できるようになる。
【００３２】
この発明に従う方法により、動物が食べる様子を図６に示す。この図では、温室カバー（ａ／３）が取り除かれており、（ａ／１）と（ａ／２）は、齧歯類用の飼育小屋すなわち動物用の飼育小屋の屋根構造物と同一の高さで相交わっている。
【００３３】
次いで、図７に示すように、この発明に従う実施形態では、更なる生育を行うために、（ａ／３）が、従来技術として周知であり、動物により開くことのできないような固定ユニットを構成する、上記したヒンジ機構及び取付け機構により、（ａ／２）及び（ａ／１）上に取付けられる。
【００３４】
しかし、この発明に従うその他の実施形態では、（ａ／３）を（ａ／２）の上方で（ａ／１）に完全にはめ込ん取り付けることができるので、ヒンジ及びその他の取付け機構を省くことができる。
【００３５】
かかるその他の実施形態では、（ａ／１）は、（ａ／３）及び（ａ／２）と、動物によってその生育機構又はその一つ又は複数の要素部が開くことができないようにされている安定したプラグイン機構として、互いの内部で互いに相互接続する。
【００３６】
図示されていないが、その他の実施形態では、再補充パック（繰返し購入パック）（ａ／２１）は、（土壌、顆粒等の）生育物質及び種子（植物）で満たされており、基本容器（ａ／１）内に入れられる。
【００３７】
かかる再補充パック（繰返し購入パック）は、基本容器（ａ／１）の対応部分に適合するような、任意形状の凸部及び凹部をその基部又は基部の内部に具えている。基本容器（ａ／１）は、その内側基部又は基部の上に、その他の形状を具えた横軸方向の張出し部又はポール部を有し、全体の長さ、幅、対角線方向又は垂直線方向に亘って堅固に固定され、再補充パック（繰返し購入パック）（ａ／２１）の基部にある凹部又は凸部に完全に嵌合するので、生育物質及び種子又は植物の非正規品のパックを製品の全体に嵌め込むことは適わない。液体に接触して一定期間が経過すると分解する材料から再補充パック（繰返し購入パック）（ａ／２１）を製造することについても検討された。また、フリース素材を、基部と面するように、再補充パック（繰返し購入パック）（ａ／２１）又は基本容器（ａ／１）に導入することもでき、かかるフリース素材は、初期生長又は再生育させる場合に、（毛管現象効果、ブロッティング紙の原理により）導入された草体の全ての根に水を運搬する役割を果たすと考えられる。更に、再補充パック（繰返し購入パック）（ａ／２１）は、基本容器（ａ／１）に類似した、（ａ／１３）として示された水分排出設備を具えることで、腐敗及びカビ、又は導入した植物材料の生育個体数の飽和による障害を抑制する。
【００３８】
この発明に従う更なる実施形態では、少なくとも２ｃｍの最小幅を有し、水平方向には、互いが平行になるように隣接して延びていないが、垂直方向には、互いに隣接していることから、少なくとも２ｃｍの高さになる、平行に配置した棒部及び／又は細長部をカバー／被覆物（ａ／２）に設ける必要性について検討された。この発明に従う実施形態では、顆粒に面して、（ａ／２）すなわち水平カバーは、製品の全面に亘って取付けられ、かかるカバーには草体が通過することができる程度の大きさではあるが、草体が生育顆粒から引き抜かれない程度の大きさの孔が設けられている。このことは、動物が草体を根ごと完全に引き抜くこと、又は再生育を抑制するほどに深く食べることを防止することを意図したものである。基本容器（ａ／１）の任意の入れ物の条件についても検討した結果、動物の飼い主は付加的に齧歯類用の石、ミネラル石及びこの場合においては柵状フェンスと類似している、噛り付くことのできる木片を全域に亘って供給することが可能とした。基本容器（ａ／１）又は温室カバー（ａ／３）の周辺部についても検討した結果、ワイヤ又はその他の要素により構築することで、齧歯類の強い歯により生育プラットフォーム全体を破壊することを防止することを可能とした。
【図面の簡単な説明】
【００３９】
【図１】この発明に従う代表的な実施形態を示した図である。
【図２】この発明に従うその他の実施形態を示した図である。
【図３】この発明に従うその他の実施形態を示した図である。
【図４】齧歯類用の飼育小屋及びその飼育小屋と一体化する生育プラットフォームを示した図である。
【図５】一体化した生育プラットフォーム及び齧歯類用の飼育小屋を示した図である。
【図６】動物が食べる様子を示した図である。
【図７】一体化した齧歯類用の飼育小屋及び生育プラットフォームを示した図である。
【図１】
2007532143.tif 000003
【図２】
2007532143.tif 000004
【図３】
2007532143.tif 000005
【図４】
2007532143.tif 000006
【図５】
2007532143.tif 000007
【図６】
2007532143.tif 000008
【図７】
2007532143.tif 000009
【手続補正書】
【提出日】平成19年1月12日(2007.1.12)
【手続補正１】
【補正対象書類名】特許請求の範囲
【補正対象項目名】請求項１
【補正方法】変更
【補正の内容】
【請求項１】
植物を生育するための生育用培地を受容する設備を具える生育プラットフォームであって、
付加的な被覆物（ａ／２）が基本容器（ａ／１）上に取付けられ、該被覆物は、一方が他方の上部に配置されるような二つのカバー、すなわちカバー（ａ／２ｂ）及びカバー（ａ／２ａ）を有し、該カバー（ａ／２ｂ）には、草体が通過するためだけに充分な大きさの開口部を設けており、一方、前記カバー（ａ／２ｂ）は、前記カバー（ａ／２ａ）から離れた位置に取付けられることから、動物が草体を下方まで食べすぎることを防止しており、これによって、前記草体が前記カバー（ａ／２ｂ）を通過して生育する方向は、前記カバー（ａ／２ａ）の生育方向に維持されることが確保されることを特徴とする生育プラットフォーム。
【国際調査報告】
2007532143.tif 000010
2007532143.tif 000011
2007532143.tif 000012
2007532143.tif 000013